(57)【要約】【課題】排出権の取引を促進する排出権取引方法、排出権取引管理サーバおよびプログラムを提供する。【解決手段】  排出権取引方法は、将来発生することが見込まれる所定物質の排出権の内容を売却希望者端末３０から受信するステップと、その内容を受信した場合に、クライアント端末４０にその内容を送信するステップと、クライアント端末４０から購入希望情報及び識別情報を受信すると、購入希望情報及び識別情報を記憶するステップと、実際に発生した排出権の内容を売却希望者端末３０から受信するステップと、その排出権についての認証機関からの認証情報が入力され、かつ、実際に発生した排出権の内容を受信した場合に、クライアント端末３０にその排出権を売却することが可能になった旨の情報を送信するステップとを含む。【選択図】図１
2005267168.tif 000002
【特許請求の範囲】
【請求項１】
将来発生することが見込まれる所定物質の排出権の内容を前記売却希望者端末から排出権取引管理サーバの受信手段が受信するステップと、
前記受信手段が将来発生することが見込まれる所定物質の排出権の内容を受信した場合に、前記排出権取引管理サーバの送信手段が、クライアント端末に前記所定物質の排出権の内容を送信するステップと、
前記クライアント端末から前記所定物質の排出権を購入希望情報及び識別情報を受信し、前記排出権取引管理サーバの記憶手段に当該購入希望情報及び識別情報を記憶するステップと、
実際に発生した所定物質の排出権の内容を前記売却希望者端末から排出権取引管理サーバの受信手段が受信するステップと、
前記排出権取引管理サーバに前記所定物質の排出権が認証機関から認証された旨の情報が入力され、かつ、前記排出権取引管理サーバの受信手段が実際に発生した所定物質の排出権の内容を受信した場合に、前記記憶手段に記憶された購入希望をした識別情報を読み出し、前記排出権取引管理サーバの送信手段が、当該識別情報に係るクライアント端末に所定物質の排出権を売却することが可能になった旨の情報を送信するステップとを含む、排出権取引方法。
【請求項２】
将来発生することが見込まれる取引可能な所定物質の排出権の内容を前記売却希望者端末から排出権取引管理サーバの受信手段が受信するステップと、
前記受信手段が将来発生することが見込まれる所定物質の排出権の内容を受信した場合に、前記排出権取引管理サーバの送信手段が、クライアント端末に前記所定物質の排出権の内容を送信するステップと、
前記クライアント端末から前記所定物質の排出権を購入希望情報及び識別情報を受信し、前記排出権取引管理サーバの記憶手段に当該購入希望情報及び識別情報を記憶するステップと、
実際に発生した所定物質の排出権の内容を前記売却希望者端末から排出権取引管理サーバの受信手段が受信するステップと、
前記排出権取引管理サーバの受信手段が前記実際に発生した所定物質の排出権の内容を受信すると、前記記憶手段に記憶された購入希望をした識別情報を読み出し、前記排出権取引管理サーバの送信手段が、当該識別情報に係るクライアント端末に実際に発生した分の所定物質の排出権を売却することが可能になった旨の情報を送信するステップとを含む、排出権取引方法。
【請求項３】
請求項１または２において、
前記受信手段が将来発生することが見込まれる所定物質の排出権の内容を受信した場合に、前記排出権取引管理サーバの処理手段が、実際発生し得る排出権の内容を算出し、前記送信手段が、将来発生することが見込まれる所定物質の排出権の内容とともに、当該算出された排出権の内容を送信するステップを含む、排出権取引方法。
【請求項４】
売却を希望する所定物質の排出権の内容を前記売却希望者端末から排出権取引管理サーバの受信手段が受信するステップと、
前記受信手段が売却を希望する所定物質の排出権の内容を受信した場合に、前記排出権取引管理サーバの送信手段が、クライアント端末に前記所定物質の排出権の内容を送信するステップと、
前記クライアント端末から前記所定物質の排出権を購入希望情報及び識別情報を受信し、前記排出権取引管理サーバの記憶手段に当該購入希望情報及び識別情報を記憶するステップと、
前記排出権取引管理サーバに前記所定物質の排出権が認証機関から認証された旨の情報が入力されると、前記記憶手段に記憶された購入希望をした識別情報を読み出し、前記排出権取引管理サーバの送信手段が、当該識別情報に係るクライアント端末に所定物質の排出権を売却することが可能になった旨の情報を送信するステップとを含む、排出権取引方法。
【請求項５】
売却希望者端末およびクライアント端末とネットワークを介して通信可能に接続された排出権取引管理サーバであって、
前記排出権取引管理サーバは、
将来発生することが見込まれる取引可能な所定物質の排出権の内容を前記売却希望者端末から受信する第１受信手段と、
前記受信手段が売却を希望する所定物質の排出権の内容を受信した場合に、クライアント端末に前記所定物質の排出権の内容を送信する送信手段と、
前記クライアント端末から前記所定物質の排出権を購入希望情報及び識別情報を受信した場合に、当該購入希望情報及び識別情報を記憶する記憶手段と、
実際に発生した所定物質の排出権の内容を前記売却希望者端末から受信する第２受信手段と、
前記第２受信手段が前記実際に発生した所定物質の排出権の内容を受信すると、前記記憶手段に記憶された購入希望をした識別情報を読み出す処理手段と、
前記識別情報に係るクライアント端末に実際に発生した分の所定物質の排出権を売却することが可能になった旨の情報を送信する送信手段とを含む、排出権取引管理サーバ。
【請求項６】
売却希望者端末およびクライアント端末とネットワークを介して通信可能に接続された排出権取引管理サーバであって、
前記排出権取引管理サーバは、
将来発生することが見込まれる取引可能な所定物質の排出権の内容を前記売却希望者端末から受信する受信手段と、
前記受信手段が将来発生することが見込まれる所定物質の排出権の内容を受信した場合に、クライアント端末に前記所定物質の排出権の内容を送信する送信手段と、
前記クライアント端末から前記所定物質の排出権を購入希望情報及び識別情報を受信し、当該購入希望情報及び識別情報を記憶する記憶手段と、
実際に発生した所定物質の排出権の内容を前記売却希望者端末から受信する受信手段と、
前記受信手段が前記実際に発生した所定物質の排出権の内容を受信すると、前記記憶手段に記憶された購入希望をした識別情報を読み出す処理手段と、
前記識別情報に係るクライアント端末に実際に発生した分の所定物質の排出権を売却することが可能になった旨の情報を送信する送信手段とを含む、排出権取引管理サーバ。
【請求項７】
請求項５または６において、
前記受信手段が将来発生することが見込まれる所定物質の排出権の内容を受信した場合に、前記処理手段が、実際発生し得る排出権の内容を算出し、
前記送信手段が、将来発生することが見込まれる所定物質の排出権の内容とともに、当該算出された排出権の内容を送信する、排出権取引管理サーバ。
【請求項８】
売却希望者端末およびクライアント端末とネットワークを介して通信可能に接続された排出権取引管理サーバであって、
売却を希望する所定物質の排出権の内容を前記売却希望者端末からが受信する受信手段と、
前記受信手段が売却を希望する所定物質の排出権の内容を受信した場合に、前記クライアント端末に前記所定物質の排出権の内容を送信する送信手段と、
前記クライアント端末から前記所定物質の排出権を購入希望情報及び識別情報を受信した場合に、当該購入希望情報及び識別情報を記憶する記憶手段と、
前記排出権取引管理サーバに前記所定物質の排出権が認証機関から認証された旨の情報が入力されると、前記記憶手段に記憶された購入希望をした識別情報を読み出す処理手段と、
前記識別情報に係るクライアント端末に所定物質の排出権を売却することが可能になった旨の情報を送信する送信手段とを含む、排出権取引管理サーバ。
【請求項９】
コンピュータに請求項１〜４のいずれかに記載の排出権取引方法を実行させるためのプログラム。
【発明の詳細な説明】
【技術分野】
【０００１】
本発明は、温室効果ガスや有毒又は有害物質などの所定の物質の排出権の取引方法、排出権取引管理サーバおよびプログラムに関する。
【背景技術】
【０００２】
地球温暖化防止の観点から、京都議定書の発効されたが、京都議定書は国家間のＣＯ２排出権の取引を対象としているものであるため、その議定書により即、企業が排出権を取引できるようにはならない。しかし、二酸化炭素排出権取引と他の企業戦略が温暖化防止プロセスの重要なカギである。 ＥＵでは、既に、企業間において、二酸化炭素の排出権を取引するシステムが実施されるのが決まり、企業が二酸化炭素を削減することを奨励しようとしている。このような取引システムにより、企業は、二酸化炭素の排出量を販売したり、購入することができるようになり、その結果、この取引システムは、社内の削減オプションのみに依存するのではなく、企業が温暖化ガスの削減目標を達成するため補助的な手段として大きな意義がある。
【発明の開示】
【発明が解決しようとする課題】
【０００３】
本発明の目的は、排出権の取引を促進する排出権取引方法、排出権取引管理サーバおよびプログラムを提供することにある。
【課題を解決するための手段】
【０００４】
１．排出権取引方法
１．１  第１の排出権取引方法
本発明の第１の排出権取引方法は、
将来発生することが見込まれる所定物質の排出権の内容を前記売却希望者端末から排出権取引管理サーバの受信手段が受信するステップと、
前記受信手段が将来発生することが見込まれる所定物質の排出権の内容を受信した場合に、前記排出権取引管理サーバの送信手段が、クライアント端末に前記所定物質の排出権の内容を送信するステップと、
前記クライアント端末から前記所定物質の排出権を購入希望情報及び識別情報を受信し、前記排出権取引管理サーバの記憶手段に当該購入希望情報及び識別情報を記憶するステップと、
実際に発生した所定物質の排出権の内容を前記売却希望者端末から排出権取引管理サーバの受信手段が受信するステップと、
前記排出権取引管理サーバに前記所定物質の排出権が認証機関から認証された旨の情報が入力され、かつ、前記排出権取引管理サーバの受信手段が実際に発生した所定物質の排出権の内容を受信した場合に、前記記憶手段に記憶された購入希望をした識別情報を読み出し、前記排出権取引管理サーバの送信手段が、当該識別情報に係るクライアント端末に所定物質の排出権を売却することが可能になった旨の情報を送信するステップとを含む。
【０００５】
１．２  第２の排出権取引方法
本発明の第２の排出権取引方法は、
将来発生することが見込まれる取引可能な所定物質の排出権の内容を前記売却希望者端末から排出権取引管理サーバの受信手段が受信するステップと、
前記受信手段が将来発生することが見込まれる所定物質の排出権の内容を受信した場合に、前記排出権取引管理サーバの送信手段が、クライアント端末に前記所定物質の排出権の内容を送信するステップと、
前記クライアント端末から前記所定物質の排出権を購入希望情報及び識別情報を受信し、前記排出権取引管理サーバの記憶手段に当該購入希望情報及び識別情報を記憶するステップと、
実際に発生した所定物質の排出権の内容を前記売却希望者端末から排出権取引管理サーバの受信手段が受信するステップと、
前記排出権取引管理サーバの受信手段が前記実際に発生した所定物質の排出権の内容を受信すると、前記記憶手段に記憶された購入希望をした識別情報を読み出し、前記排出権取引管理サーバの送信手段が、当該識別情報に係るクライアント端末に実際に発生した分の所定物質の排出権を売却することが可能になった旨の情報を送信するステップとを含む。
【０００６】
第１および第２の排出権取引方法において、前記受信手段が将来発生することが見込まれる所定物質の排出権の内容を受信した場合に、前記排出権取引管理サーバの処理手段が、実際発生し得る排出権の内容を算出し、前記送信手段が、将来発生することが見込まれる所定物質の排出権の内容とともに、当該算出された排出権の内容を送信するステップを含むことができる。
【０００７】
１．３  第３の排出権取引方法
本発明の第３の排出権取引方法は、
売却を希望する所定物質の排出権の内容を前記売却希望者端末から排出権取引管理サーバの受信手段が受信するステップと、
前記受信手段が売却を希望する所定物質の排出権の内容を受信した場合に、前記排出権取引管理サーバの送信手段が、クライアント端末に前記所定物質の排出権の内容を送信するステップと、
前記クライアント端末から前記所定物質の排出権を購入希望情報及び識別情報を受信し、前記排出権取引管理サーバの記憶手段に当該購入希望情報及び識別情報を記憶するステップと、
前記排出権取引管理サーバに前記所定物質の排出権が認証機関から認証された旨の情報が入力されると、前記記憶手段に記憶された購入希望をした識別情報を読み出し、前記排出権取引管理サーバの送信手段が、当該識別情報に係るクライアント端末に所定物質の排出権を売却することが可能になった旨の情報を送信するステップとを含む。
【０００８】
２．排出権取引管理サーバ
２．１  第１の排出権取引管理サーバ
本発明の第１の排出権取引管理サーバは、
売却希望者端末およびクライアント端末とネットワークを介して通信可能に接続された排出権取引管理サーバであって、
前記排出権取引管理サーバは、
将来発生することが見込まれる取引可能な所定物質の排出権の内容を前記売却希望者端末から受信する第１受信手段と、
前記受信手段が売却を希望する所定物質の排出権の内容を受信した場合に、クライアント端末に前記所定物質の排出権の内容を送信する送信手段と、
前記クライアント端末から前記所定物質の排出権を購入希望情報及び識別情報を受信した場合に、当該購入希望情報及び識別情報を記憶する記憶手段と、
実際に発生した所定物質の排出権の内容を前記売却希望者端末から受信する第２受信手段と、
前記第２受信手段が前記実際に発生した所定物質の排出権の内容を受信すると、前記記憶手段に記憶された購入希望をした識別情報を読み出す処理手段と、
前記識別情報に係るクライアント端末に実際に発生した分の所定物質の排出権を売却することが可能になった旨の情報を送信する送信手段とを含む。
【０００９】
２．２  第２の排出権取引管理サーバ
本発明の第２の排出権取引管理サーバは、
売却希望者端末およびクライアント端末とネットワークを介して通信可能に接続された排出権取引管理サーバであって、
前記排出権取引管理サーバは、
将来発生することが見込まれる取引可能な所定物質の排出権の内容を前記売却希望者端末から受信する受信手段と、
前記受信手段が将来発生することが見込まれる所定物質の排出権の内容を受信した場合に、クライアント端末に前記所定物質の排出権の内容を送信する送信手段と、
前記クライアント端末から前記所定物質の排出権を購入希望情報及び識別情報を受信し、当該購入希望情報及び識別情報を記憶する記憶手段と、
実際に発生した所定物質の排出権の内容を前記売却希望者端末から受信する受信手段と、
前記受信手段が前記実際に発生した所定物質の排出権の内容を受信すると、前記記憶手段に記憶された購入希望をした識別情報を読み出す処理手段と、
前記識別情報に係るクライアント端末に実際に発生した分の所定物質の排出権を売却することが可能になった旨の情報を送信する送信手段とを含む。
【００１０】
本発明の第１および第２の排出権管理サーバにおいて、前記受信手段が将来発生することが見込まれる所定物質の排出権の内容を受信した場合に、前記処理手段が、実際発生し得る排出権の内容を算出し、前記送信手段が、将来発生することが見込まれる所定物質の排出権の内容とともに、当該算出された排出権の内容を送信することができる。
【００１１】
１．３  第３の排出権取引管理サーバ
本発明の第３の排出権取引管理サーバは、
売却希望者端末およびクライアント端末とネットワークを介して通信可能に接続された排出権取引管理サーバであって、
売却を希望する所定物質の排出権の内容を前記売却希望者端末からが受信する受信手段と、
前記受信手段が売却を希望する所定物質の排出権の内容を受信した場合に、前記クライアント端末に前記所定物質の排出権の内容を送信する送信手段と、
前記クライアント端末から前記所定物質の排出権を購入希望情報及び識別情報を受信した場合に、当該購入希望情報及び識別情報を記憶する記憶手段と、
前記排出権取引管理サーバに前記所定物質の排出権が認証機関から認証された旨の情報が入力されると、前記記憶手段に記憶された購入希望をした識別情報を読み出す処理手段と、
前記識別情報に係るクライアント端末に所定物質の排出権を売却することが可能になった旨の情報を送信する送信手段とを含む。
【００１２】
３．プログラム
本発明のプログラムは、コンピュータに本発明の排出権取引方法を実行させるためのものである。
【００１３】
以上でいう「所定物質の排出権」とは、所定物質を所定量だけ排出することができる権能をいう。
【発明の効果】
【００１４】
本発明によれば、未認証の排出権又は予想される排出削減量分の排出権の段階でクライアント端末に送信している。そして、購入希望者は、その排出権の購入の予約もできるため、早い段階で排出権を確保することができ、排出権の管理がしやすくなる。また、排出権の流通をより促進させることができる。さらに、売却希望者からしてみると、早い段階で、排出権取引の見通しを立てることができる。
【発明を実施するための最良の形態】
【００１５】
以下、本発明の好適な実施の形態について図面を参照しながら説明する。
【００１６】
１．  全体概要
図１は、排出権取引システムの概要図である。
【００１７】
排出権取引システム１０は、排出権取引管理サーバ２０と、売却希望者端末３０と、クライアント端末４０と、認証機関端末５０とを含む。排出権取引管理サーバ２０は、売却希望者端末３０と、クライアント端末４０と、認証機関端末５０と通信ネットワーク（たとえばインターネット、イントラネット）６０を介して接続され、情報の送受信が行われる。
【００１８】
図２は、排出権取引管理サーバ２０の機能ブロックを示す図である。
【００１９】
排出権取引管理サーバ２０は、所定物質の排出権の取引を管理するサーバである。こので、所定物質とは、たとえば温室効果ガス（たとえば二酸化炭素のような京都議定書の対象となっている温室効果ガス）、有毒物質や有害物質を挙げることができる。排出権取引管理サーバ２０は、売却希望者端末３０、クライアント端末４０および認証機関端末５０と情報の送受信をすることができる送受信部（たとえばルーター）２０ｅと、記憶部２０ｂと、処理部２０ａとを含んで構成されている。
【００２０】
処理部２０ａは、送受信部２０ｅで受信した情報を記憶部２０ｂに記憶されるように制御したり、受信した情報を所定の端末に送信するように制御したりするなどの処理を行う。処理部２０ａの機能は、プロセッサ（たとえばＣＰＵ）により実現することができる。
【００２１】
記憶部２０ｂは、売却希望者端末３０、クライアント端末４０および認証機関端末５０から送信されてきた情報を記憶したりなどする。記憶部２０ｂの機能は、たとえばＲＡＭにより実現することができる。
【００２２】
これらの各部は、回路などによりハードウェア的に実現してもよいし、プログラムなどを用いてソフトウェア的に実現してもよい。
【００２３】
また、排出権取引管理サーバ２０に情報記憶媒体２０ｃを接続し、情報記憶媒体２０ｃからプログラムを排出権取引管理サーバ２０内のコンピュータに読み取らせることによりその機能を実現するように構成することもできる。
【００２４】
情報記憶媒体２０ｃとしては、たとえば、ハードディスク、フレキシブルディスク、ＲＯＭ、ＲＡＭ、ＣＤ−ＲＯＭ、ＤＶＤ−ＲＯＭ、ＩＣカード、メモリカードなどのレーザや磁気などを用いた記憶媒体を適用できる。
【００２５】
さらに、排出権取引管理サーバ２０に、入力部２０ｄや表示部を接続してもよい。入力部２０ｄとしては、たとえばキーボードや、マウスのようなポインティングデバイスが挙げられる。表示手段としては、ＣＲＴ、液晶表示装置、プラズマ表示装置、有機ＥＬ装置が挙げられる。
【００２６】
売却希望者端末３０は、所定物質の排出権を売却しようと考えている者の端末である。クライアント端末４０は、所定物質の排出権を購入することを考えている者の端末である。認証機関端末５０は、所定物質の排出権について認証する機関の端末である。ここで、認証機関として考えるものとしては、たとえばＣＤＭ（Clean Development Mechanism）理事会や、ＣＤＭ理事会より認定を受けたＤＯＥ（指定運営機関）である。
【００２７】
売却希望者端末３０、クライアント端末４０および認証機関端末５０は、プロセッサ（たとえばＣＰＵ）、ＲＡＭ、ＲＯＭなどを有し、それらがバスで相互に接続されるコンピュータシステムを用いることができる。このバスには、適当なインターフェイスを介して外部記憶装置、データ入力デバイス、表示デバイス、データの送受信を行う通信制御装置等が接続される。外部記憶装置としては、たとえば、ハードディスク、光磁気記憶装置、光記憶装置、フラッシュメモリなどの半導体記憶装置が挙げられる。データ入力デバイスとしては、たとえばキーボードや、マウスのようなポインティングデバイスが挙げられる。表示デバイスとしては、たとえば、ＣＲＴ、液晶表示装置、プラズマ表示装置、有機ＥＬ装置が挙げられる。通信制御装置としては、たとえばルーターなどが挙げられる。また、コンピュータシステムには、パーソナルコンピュータ、ワークステーション、メインフレームコンピュータなどのコンピュータが含まれる。
【００２８】
２．処理フロー
以下、処理フローを説明する。ここでは、所定物質として二酸化炭素を例にとり説明する。
【００２９】
２．１  第１の処理フロー
図３は、第１の処理フローのフローチャートである。
【００３０】
まず、売却希望者端末３０が将来発生することが見込まれる排出権の内容を排出権取引管理サーバ２０に送信し（Ｓ１０）、排出権取引管理サーバ２０は、その内容を受信する（Ｓ１１）。次に、排出権取引管理サーバ２０は、その将来発生することが見込まれる排出権の内容をクライアント端末４０に送信する（Ｓ１２）。ここで、その排出権の内容が送信されるクライアント端末４０は、単数であっても複数であってもよく、特定であっても不特定であってもよい。
【００３１】
次に、クライアント端末４０が将来発生することが見込まれる排出権の内容を受信する（Ｓ１２）。クライアント端末４０のクライアントがその将来発生することが見込まれる排出権の購入を予約したいと考えた場合には、購入希望の情報及び識別情報をデータ入力デバイスにより入力し、クライアント端末４０の送信部が排出権取引管理サーバ２０に送信する（Ｓ１４）。次に、排出権取引管理サーバ２０が購入希望情報及び識別情報を受信すると（Ｓ１５）、その情報が記憶手段に記憶され（Ｓ１６）、購入希望者の情報が登録される。以上のようにして、排出権購入予約の登録が完了される。
【００３２】
次に、図４を用いて、排出権売買がどのように確定されるかを説明する。ここでは、売却希望者が二酸化炭素の排出量の削減を実現したとの仮定において説明する。
【００３３】
売却希望者端末３０が実現した二酸化炭素削減量分の排出権の内容を排出権取引管理サーバ２０に送信する（Ｓ２０）。次に、排出権取引管理サーバ２０がその排出権の内容を受信すると（Ｓ２１）、認証機関端末５０に認証を受けるために排出権の内容を送信する（Ｓ２２）。ステップ２２においては、電子認証システムで電子認証された排出権の内容情報を送信することができる。また、ステップ２２の前に、排出権の内容を記載したものが所定の様式等に則っているか処理部２０ａによりチェックすることもできる。
【００３４】
次に、認証機関の審査の結果、認証機関端末５０から排出権について認証した旨の情報を受信すると（Ｓ２３）、実現した削減量分の排出権について、取引可能になったことをクライアント端末４０に送信する（Ｓ２４）。
【００３５】
次に、クライアント端末４０がその排出権について取引可能になったという情報を受信すると（Ｓ２５）、購入する意思があるかどうかをクライアントに尋ねる表示をし、購入する意思があることが入力されると、排出権取引管理サーバ２０に購入する最終意思があるという情報を送信する（Ｓ２６）排出権取引管理サーバ２０がその最終意思の情報を受信すると（Ｓ２７）、排出権の売買が確定した旨の情報を送信するとともに（Ｓ２８）、記憶手段にその情報を記憶する（Ｓ２９）。次に、売却希望者端末３０が売買の確定情報が受信する（Ｓ３０）ことで、売却希望者は排出権の売買が成立したことを知ることができる。
【００３６】
なお、この第１の処理フローは、排出権の取引をする際に認証が不要であれば、図５に示すように、Ｓ２２およびＳ２３は不要である。
【００３７】
また、認証機関端末５０に削減を実現した排出量分の排出権の内容をネットワーク６０を用いて送信する例に限られず、文書として送付してもよい。また、認証機関端末５０からネットワーク６０を通じて認証情報を受信する例に限られず、文書で送られてきた認証情報を入力部により入力してもよい。
【００３８】
また、ステップ１２の前に、排出権取引管理サーバ２０の処理部２０ａがシミュレーションして、実現し得る二酸化炭素の削減量を算出し、ステップ１２において、シミュレーションで算出された実現し得る二酸化炭素の削減量を送信してもよい。なお、この算出では、過去の削減量、種々の背景や条件を考慮して行うことができる。
【００３９】
２．２  第２の処理フロー
図６は、第２の処理フローのフローチャートである。
【００４０】
まず、売却希望者端末３０が、実際に実現した所定物質の削減量分の排出権の内容を排出権取引管理サーバ２０に送信し（Ｓ４０）、排出権取引管理サーバ２０は、その内容を受信する（Ｓ４１）。次に、排出権取引管理サーバ２０は、実際に実現した所定物質の削減量分の排出権の内容をクライアント端末４０に送信する（Ｓ４２）。ここで、その排出権の内容が送信されるクライアント端末４０は、単数であっても複数であってもよく、特定であっても不特定であってもよい。
【００４１】
次に、クライアント端末４０がその排出権の内容を受信する（Ｓ４２）。クライアント端末４０のクライアントがその排出権の購入を予約したいと考えた場合には、購入希望の情報及び識別情報をクライアント端末４０のデータ入力デバイスにより入力し、クライアント端末４０の送信部が排出権取引管理サーバ２０に送信する（Ｓ４４）。次に、排出権取引管理サーバ２０が購入希望情報及び識別情報を受信すると（Ｓ４５）、その情報が記憶手段に記憶され（Ｓ４６）、購入希望者の情報が登録される。以上のようにして、排出権購入予約の登録が完了される。
【００４２】
次に、排出権取引管理サーバ２０が、実際に実現した所定物質の削減量分の排出権について、認証を受けるために認証機関端末５０にその内容を送信する（Ｓ４７）。ステップ４７においては、電子認証システムで電子認証された排出権の内容情報を送信することができる。また、ステップ４７の前に、排出権の内容を記載したものが所定の様式等に則っているか処理部２０ａによりチェックすることもできる。次に、認証機関の審査の結果、認証機関端末５０から排出権について認証した旨の情報を受信すると（Ｓ４８）、その排出権について、取引可能になったことをクライアント端末４０に送信する（Ｓ４９）。
【００４３】
次に、クライアント端末４０がその排出権について取引可能になったという情報を受信すると（Ｓ５０）、購入する意思があるかどうかをクライアントに尋ねる表示をし、購入する意思があることが入力されると、排出権取引管理サーバ２０に購入する最終意思があるという情報を送信する（Ｓ５１）。排出権取引管理サーバ２０がその最終意思の情報を受信すると（Ｓ５２）、排出権の売買が確定した旨の情報を送信するとともに（Ｓ５３）、記憶手段にその情報を記憶する（Ｓ５４）。次に、売却希望者端末３０が売買の確定情報が受信する（Ｓ５５）ことで、売却希望者は排出権の売買が成立したことを知ることができる。
【００４４】
上記各処理フローにおいて、情報を受信した場合に、受信したことを通知するための返信を行ってもよい。また、認証機関に報告する必要がある場合に、所定期間内に報告していなかった場合には、警告を促す指示をしてもよい。この指示はたとえば表示手段に警告内容を表示することで行うことができる。
【００４５】
また、排出権取引管理サーバ２０は、何か情報を受信するたびに、記憶手段に情報を記憶してもよい。
【００４６】
さらに、クライアント端末４０及び売却希望者端末３０は、識別情報及びパスワードが合致している場合にのみ、操作者が操作することができるようにしてもよい。
【００４７】
３．各端末の構成
３．１  売却希望者端末３０
売却希望者端末３０において、実際に実現した所定物質の排出削減量の算出は、たとえば次のように行うことができる。ここでは、所定物質として二酸化炭素を例にとり説明する。
【００４８】
まず、入力手段により、所定期間（たとえば基準年）の排出量が入力され、記憶部２０ｂにその排出量が初期値（ベースライン）として記憶される（Ｓ７０）。この管理者登録は、入力手段に、自らを識別する識別番号（ＩＤ）とパスワードを入力して行うことができる。また、この登録に当たって、二酸化炭素の排出量の算定対象期間、算定対象活動および算定対象組織を設定する（Ｓ７１）。
【００４９】
次に、管理者が入力手段により、二酸化炭素を排出するたびに二酸化炭素の排出量を入力し、記憶部２０ｂに登録する（Ｓ７２）。なお、一定期間経過後にその期間内に排出した二酸化炭素の排出量を登録してもよい。
【００５０】
また、入力事項の誤りや、入力位置の誤り、未入力事項などの警告などを行ってもよい（Ｓ７３）。この場合には、処理手段がチェックし、表示手段を制御し、その警告内容を表示することができる。
【００５１】
次に、入力手段により、利用する燃料およびその量を入力する。すると、処理手段が、利用する燃料およびその量並びに排出権係数により、排出された二酸化炭素の量を計算する（Ｓ７４）。ここで算出された二酸化炭素の排出量を、上記ベースラインとしての排出量から控除することで、実際に実現した二酸化炭素の削減量がわかる。なお、入力時に、入力誤りや重複をチェックする。異常があった場合には、異常値が表示部に表示されるように制御するようにしてもよい。
【００５２】
ここで、バイオマス燃料を用いた場合には、二酸化炭素は排出しなかったと認定することができる。
【００５３】
また、将来発生すると見込まれる排出権については、たとえば入力手段により、基準とする二酸化炭素の排出量からの二酸化炭素排出量の削減量の目標値を入力することで、その排出権を導き出すことができる。なお、この目標値は、プロジェクトごとに入力することもできる。
【００５４】
４．作用効果
本実施の形態によれば、たとえば次のような作用効果がある。
【００５５】
今までは、未認証の排出権又は予想される排出削減量分の排出権は、取引ができる排出権としては潜在的なものであった。しかし、本実施の形態によれば未認証の排出権又は予想される排出削減量分の排出権の段階でクライアント端末に送信している。そして、購入希望者は、その排出権の購入の予約もできるため、早い段階で排出権を確保することができ、排出権の管理がしやすくなる。また、排出権の流通をより促進させることができる。さらに、売却希望者からしてみると、早い段階で、排出権取引の見通しを立てることができるというメリットがある。
【００５６】
情報は、排出権取引管理サーバ２０を介して流れるため、その情報を排出権取引管理サーバ２０に格納しておけば、情報の一括管理することができ、利用状況をモニタリングすることもできる。また、排出権取引を管理できるため、排出権取引管理サーバ２０によって、課金計算を行わせてもよい。何か問題があった場合には、表示手段に警告情報を表示させてもよい。
【００５７】
実際に実現した排出削減量分の排出権と、予約者に割り当てた排出権とを把握できることから、取引可能な排出権の在庫も管理することができる。
【００５８】
なお、本発明は、上記実施の形態で説明したものに限定されず、種々の変形実施が可能である。
【図面の簡単な説明】
【００５９】
【図１】排出権取引システムの概要図である。
【図２】排出権取引管理サーバ２０の機能ブロックを示す図である。
【図３】第１の処理フローのフローチャートである。
【図４】第１の処理フローのフローチャートである。
【図５】第１の処理フローのフローチャートの変形例である。
【図６】第２の処理フローのフローチャートである。
【図７】第２の処理フローのフローチャートである。
【図８】売却希望者端末の排出権の内容の入力フローのチャートである。
【符号の説明】
【００６０】
１０    排出権取引システム
２０    排出権取引管理サーバ
３０    売却希望者端末
４０    クライアント端末
５０    認証機関端末
【図１】
2005267168.tif 000003
【図２】
2005267168.tif 000004
【図３】
2005267168.tif 000005
【図４】
2005267168.tif 000006
【図５】
2005267168.tif 000007
【図６】
2005267168.tif 000008
【図７】
2005267168.tif 000009
【図８】
2005267168.tif 000010